(57)【要約】【課題】  複数台のプリンタがネットワーク上で接続されている場合、ユーザーの色ずれに対する意識レベルに合わせて最適なプリンタを自動選択する。【解決手段】  カラー出力機において定期的に色ずれ量を算出し、プリンタの選択判断となる色ずれ基準値を、最大色ずれ量と平均色ずれ量及び色ずれ発生頻度から算出することを特徴とする。【選択図】        図１
2006155498.tif 000002
【特許請求の範囲】
【請求項１】
印刷時の色ずれ補正のために、同一ネットワーク上に接続された複数台のプリンタから、最も色ずれが少ないプリンタを選択するシステムにおいて、プリンタ内部で印刷するテストパターンから色ずれを検出するステップと、色ずれに関する各データから、色ずれ基準値を算出するステップと、印刷設定に色ずれ重視の項目を選択するステップと、色ずれ基準値が最小なプリンタを自動的に選択し、そのプリンタに印刷するステップを有することを特徴とする色ずれ補正方法。
【請求項２】
請求項１記載の、プリンタ内部で印刷するテストパターンから色ずれを検出するとは、適宜レジマークをＩＴＢ上に書き出すステップと、書き出されたレジマークをデバイス内部のフォトセンサーで読み取るステップと、レジマークの読み取り間隔の誤差から、主走査及び副走査方向の色ずれを検出するステップを有することを特徴とする色ずれ補正方法。
【請求項３】
請求項１記載の、色ずれに関する各データから、色ずれ基準値を算出するとは、検出された色ずれの中からプロセスカラーごとに最大の色ずれ量を算出するステップと、検出された全ての色ずれに基づき、プロセスカラーごとに色ずれ量の平均値を算出するステップと、色ずれ量がしきい値以上の時に、色ずれが発生しているとして全体の中での色ずれ発生頻度を算出するステップと、算出した最大色ずれ量と平均色ずれ量と色ずれ発生頻度を重み付けして和をとったものを色ずれ基準値として算出するステップと、この色ずれ基準値をデバイス内部に保存し、プリンタ選択時の判断基準とするステップを有することを特徴とする色ずれ補正方法。
【請求項４】
請求項１記載の、印刷設定に色ずれ重視の項目を選択するとは、印刷命令をもらったドキュメントがスプールされるステップと、その印刷方法を設定するステップを有することを特徴とする色ずれ補正方法。
【請求項５】
請求項１記載の、色ずれ基準値が最小なプリンタを自動的に選択し、そのプリンタに印刷するとは、印刷方法に色ずれ重視の項目が選択された場合、クライアントＰＣと同一ネットワーク上に接続されている全てのプリンタを検出するステップと、検出された全てのプリンタの色ずれ基準値がクライアント側で保存されているかどうか判定するステップと、全てのプリンタの色ずれ基準値が保存されていない場合、保存されていないプリンタの色ずれ基準値を取得し、クライアント側で保存するステップと、プリンタの色ずれ基準値が算出から一定時間過ぎているかどうか判定するステップと、色ずれ基準値が算出から一定時間過ぎているものが存在する場合、再度そのプリンタから色ずれ基準値を取得し、値を更新するステップと、以上の処理により保存・更新された全色ずれ基準値の中から、その値が最小であるプリンタを選択するステップと、選択されたプリンタから、入力データを印刷するステップを有することを特徴とする色ずれ補正方法。
【請求項６】
印刷時の色ずれ補正のために、同一ネットワーク上に接続された複数台のプリンタから、最も色ずれが少ないプリンタを選択するシステムにおいて、プリンタ内部で印刷するテストパターンから色ずれを検出する手段と、色ずれに関する各データから、色ずれ基準値を算出する手段と、印刷設定に色ずれ重視の項目を選択する手段と、色ずれ基準値が最小なプリンタを自動的に選択し、そのプリンタに印刷する手段を有することを特徴とする色ずれ補正装置。
【請求項７】
請求項６記載の、プリンタ内部で印刷するテストパターンから色ずれを検出するとは、適宜レジマークをＩＴＢ上に書き出す手段と、書き出されたレジマークをデバイス内部のフォトセンサーで読み取る手段と、レジマークの読み取り間隔の誤差から、主走査及び副走査方向の色ずれを検出する手段を有することを特徴とする色ずれ補正装置。
【請求項８】
請求項６記載の、色ずれに関する各データから、色ずれ基準値を算出するとは、検出された色ずれの中からプロセスカラーごとに最大の色ずれ量を算出する手段と、検出された全ての色ずれに基づき、プロセスカラーごとに色ずれ量の平均値を算出する手段と、色ずれ量がしきい値以上の時に、色ずれが発生しているとして全体の中での色ずれ発生頻度を算出する手段と、算出した最大色ずれ量と平均色ずれ量と色ずれ発生頻度を重み付けして和をとったものを色ずれ基準値として算出する手段と、この色ずれ基準値をデバイス内部に保存し、プリンタ選択時の判断基準とする手段を有することを特徴とする色ずれ補正装置。
【請求項９】
請求項６記載の、印刷設定に色ずれ重視の項目を選択するとは、印刷命令をもらったドキュメントがスプールされる手段と、その印刷装置を設定する手段を有することを特徴とする色ずれ補正装置。
【請求項１０】
請求項６記載の、色ずれ基準値が最小なプリンタを自動的に選択し、そのプリンタに印刷するとは、印刷装置に色ずれ重視の項目が選択された場合、クライアントＰＣと同一ネットワーク上に接続されている全てのプリンタを検出する手段と、検出された全てのプリンタの色ずれ基準値がクライアント側で保存されているかどうか判定する手段と、全てのプリンタの色ずれ基準値が保存されていない場合、保存されていないプリンタの色ずれ基準値を取得し、クライアント側で保存する手段と、プリンタの色ずれ基準値が算出から一定時間過ぎているかどうか判定する手段と、色ずれ基準値が算出から一定時間過ぎているものが存在する場合、再度そのプリンタから色ずれ基準値を取得し、値を更新する手段と、以上の処理により保存・更新された全色ずれ基準値の中から、その値が最小であるプリンタを選択する手段と、選択されたプリンタから、入力データを印刷する手段を有することを特徴とする色ずれ補正装置。
【請求項１１】
印刷時の色ずれ補正のために、同一ネットワーク上に接続された複数台のプリンタから、最も色ずれが少ないプリンタを選択するシステムにおいて、プリンタ内部で印刷するテストパターンから色ずれを検出する手順と、色ずれに関する各データから、色ずれ基準値を算出する手順と、印刷設定に色ずれ重視の項目を選択する手順と、色ずれ基準値が最小なプリンタを自動的に選択し、そのプリンタに印刷する手順を有することを特徴とする色ずれ補正媒体。
【請求項１２】
請求項１１記載の、プリンタ内部で印刷するテストパターンから色ずれを検出するとは、適宜レジマークをＩＴＢ上に書き出す手順と、書き出されたレジマークをデバイス内部のフォトセンサーで読み取る手順と、レジマークの読み取り間隔の誤差から、主走査及び副走査方向の色ずれを検出する手順を有することを特徴とする色ずれ補正媒体。
【請求項１３】
請求項１１記載の、色ずれに関する各データから、色ずれ基準値を算出するとは、検出された色ずれの中からプロセスカラーごとに最大の色ずれ量を算出する手順と、検出された全ての色ずれに基づき、プロセスカラーごとに色ずれ量の平均値を算出する手順と、色ずれ量がしきい値以上の時に、色ずれが発生しているとして全体の中での色ずれ発生頻度を算出する手順と、算出した最大色ずれ量と平均色ずれ量と色ずれ発生頻度を重み付けして和をとったものを色ずれ基準値として算出する手順と、この色ずれ基準値をデバイス内部に保存し、プリンタ選択時の判断基準とする手順を有することを特徴とする色ずれ補正媒体。
【請求項１４】
請求項１１記載の、印刷設定に色ずれ重視の項目を選択するとは、印刷命令をもらったドキュメントがスプールされる手順と、その印刷媒体を設定する手順を有することを特徴とする色ずれ補正媒体。
【請求項１５】
請求項１１記載の、色ずれ基準値が最小なプリンタを自動的に選択し、そのプリンタに印刷するとは、印刷媒体に色ずれ重視の項目が選択された場合、クライアントＰＣと同一ネットワーク上に接続されている全てのプリンタを検出する手順と、検出された全てのプリンタの色ずれ基準値がクライアント側で保存されているかどうか判定する手順と、全てのプリンタの色ずれ基準値が保存されていない場合、保存されていないプリンタの色ずれ基準値を取得し、クライアント側で保存する手順と、プリンタの色ずれ基準値が算出から一定時間過ぎているかどうか判定する手順と、色ずれ基準値が算出から一定時間過ぎているものが存在する場合、再度そのプリンタから色ずれ基準値を取得し、値を更新する手順と、以上の処理により保存・更新された全色ずれ基準値の中から、その値が最小であるプリンタを選択する手順と、選択されたプリンタから、入力データを印刷する手順を有することを特徴とする色ずれ補正媒体。
【発明の詳細な説明】
【技術分野】
【０００１】
本発明は、印刷装置、情報処理装置及び管理装置及びそれらの制御方法ならびにそれらを記憶する記憶媒体に関し、特に色ずれ補正方法、色ずれ補正装置、色ずれ補正媒体に係る。
【背景技術】
【０００２】
色ずれ（レジずれ、版ずれとも呼ばれる）は、印刷品位を落とし、高品位な出力結果を望むユーザーにとって大きな問題となっている。色ずれの大きさや発生頻度は、出力する機種によって様々であり、これはその出力機種に搭載されている補正技術によって大きく異なる。また出力機種の使用頻度及び年数などにも大きく依存する。
【特許文献１】特開２０００−１９６９０６号公報
【発明の開示】
【発明が解決しようとする課題】
【０００３】
本発明は、上述の問題点に着目してなされたものである。
【０００４】
本発明は、複数台のプリンタがネットワーク上で接続されている場合、ユーザーの色ずれに対する意識レベルに合わせて最適なプリンタを自動選択する。
【０００５】
カラー出力機において定期的に色ずれ量を算出し、プリンタの選択判断となる色ずれ基準値を、最大色ずれ量と平均色ずれ量及び色ずれ発生頻度から算出することにより、色ずれが最も抑制されたデバイスを自動的に選択することができる、色ずれ補正方法、色ずれ補正装置、色ずれ補正媒体を提供することを目的とする。
【課題を解決するための手段】
【０００６】
本発明は、印刷時の色ずれ補正のために、同一ネットワーク上に接続された複数台のプリンタから、最も色ずれが少ないプリンタを選択するシステムにおいて、プリンタ内部で印刷するテストパターンから色ずれを検出するステップと、色ずれに関する各データから、色ずれ基準値を算出するステップと、印刷設定に色ずれ重視の項目を選択するステップと、色ずれ基準値が最小なプリンタを自動的に選択し、そのプリンタに印刷するステップを有することを特徴とする。
【発明の効果】
【０００７】
以上説明したように本発明は、印刷品位を保つために、色ずれ量の低減を重視するユーザーにとって、出力に最適なプリンタを自動的に選択するシステムである。出力に最適なプリンタを選択するために、予め色ずれ基準値を算出し、それを選択の判断基準とすることで、信頼性の高い選択が可能となる。
【発明を実施するための最良の形態】
【０００８】
以下本発明を実施するための最良の形態を、実施例により詳しく説明する。
【実施例１】
【０００９】
次に発明の実施例１について説明する。
【００１０】
図１は、本実施例に係る基本的な構成を示すブロック図である。
【００１１】
図１において１はＣＰＵ、即ち中央処理装置であり、本装置全体の制御及び演算処理を行う。２はＲＡＭ、即ちランダムアクセスメモリであり、処理毎にそれぞれのプログラム及びデータがロードされ、実行される領域である。３はＲＯＭ、即ち読み出し専用メモリであり、システム制御プログラムや、フォントデータなどの記憶領域である。４はＫＢＣ、即ちキーボード制御部であり、キーボード５（ＫＢ）からのキー入力によりデータを受け取りＣＰＵ１へ伝達する。６はＰＲＴＣ、即ちプリンタ制御部であり、プリンタ装置７（ＰＲＴ）を制御するためのものである。プリンタ装置７は、レーザービームプリンタ、インクジェットプリンタなどである。８はＣＲＴＣ、即ちディスプレイ制御部であり、ディスプレイ装置９（ＣＲＴ）への表示制御を行う。１０はＤＫＣ、即ちディスク制御部であり、データ伝送などの制御を行うものである。１１はＦＤ（フロッピー（登録商標）ディスク装置）あるいはＨＤ（ハードディスク装置）あるいはＣＤ（ＣＤＲＯＭ）などの外部記憶装置であり、プログラム及びデータを記憶させておき、実行時必要に応じて参照またはＲＡＭ２へロードする。１２はシステムバスであり、上述の構成要素間におけるデータ転送の通路となるべきものである。
【００１２】
本装置は、基本Ｉ／Ｏ（入出力）プログラム、ＯＳ（オペレーティングシステム）、及び以下に説明する版ずれ補正プログラムをＣＰＵ１が実行することにより動作する。
【００１３】
基本Ｉ／ＯプログラムはＲＯＭ３に記憶されており、ＯＳはＨＤ１１に書き込まれている。そして本装置の電源がＯＮにされたとき、基本Ｉ／Ｏプログラム中のＩＰＬ（イニシャルプログラムローディング）機能によりＨＤ１１からＯＳがＲＡＭ２に読み込まれ、ＯＳの動作が開始される。
【００１４】
本実施例では、版ずれ補正制御プログラムおよび関連データは図２のようにＦＤ１１、またはＣＤＲＯＭ１１中に記録されており、このＦＤ１１またはＣＤ−ＲＯＭ１１に記録された版ずれ補正制御プログラムおよび関連データは図３に示すように、ＦＤドライブまたはＣＤ−ＲＯＭドライブを通じて、本装置のＨＤ１１にインストールする事ができる。この場合ＦＤ１１またはＣＤ−ＲＯＭ１１をＦＤドライブまたはＣＤ−ＲＯＭドライブにセットすると、ＯＳ及び基本Ｉ／Ｏプログラムの制御のもとに版ずれ補正制御プログラム及び関連データがＦＤ１１またはＣＤ−ＲＯＭ１１から読み出され、ＨＤ１１にインストールされて動作可能となる。
【００１５】
図４は版ずれ補正制御プログラムがＨＤ１１にインストールされ実行可能になった状態のメモリマップを示す。
【００１６】
図５は本実施例における出力先のプリンタを決定するために判断基準となる色ずれ量の算出方法の流れを示すフローチャートである。
【００１７】
ステップＳ５０１では、デバイス内部に搭載されている色ずれ検査用のレジマークをＩＴＢ上に書き出す。次にステップＳ５０２へ進み、これらプロセスカラーごとのレジマークをデバイス内部に搭載されたフォトセンサーで読み取る。次にステップＳ５０３へ進み、読み取ったレジマークの読み取り間隔の誤差から色ずれを検知する。次にステップＳ５０４に進み、検知された色ずれの中から、プロセスカラーごとに最大色ずれ量を算出する。次にステップＳ５０５に進み、検知された色ずれの中から、プロセスカラーごとに平均色ずれ量を算出する。次にステップＳ５０６に進み、色ずれ量がしきい値以上のものを、色ずれが起きたとし、全体の中から色ずれが起きた割合である色ずれ発生頻度を算出する。次にステップＳ５０７に進み、色ずれ基準値を算出する。色ずれ基準値は、最大色ずれ量と平均色ずれ量と色ずれ発生頻度を重み付けして和をとった値であり、色ずれ重視による出力プリンタ選択の際に判断基準となる値である。次にステップＳ５０８に進み、算出された色ずれ基準値をデバイス側で保存する。これら一連の処理により、プリンタ選択の際に判断基準となる色ずれ量を予め算出しておくことができる。
【実施例２】
【００１８】
図６は図５で算出した色ずれ基準値を基に、本実施例における出力先プリンタを選択する流れを示すフローチャートである。
【００１９】
ステップＳ６０１では、スプールされたデータに対して印刷命令を出す。次にステップＳ６０２に進み、印刷方法を設定する。次にステップＳ６０３に進み、ユーザーが印刷するプリンタを指定せず、印刷設定に色ずれ重視の項目を選択したかどうか判定する。
【００２０】
ユーザーが色ずれ重視の項目を選択しなかった場合、ステップＳ６１０に進み、色ずれからプリンタを選択せずに印刷する。ユーザーが色ずれ重視の項目を選択した場合、ステップＳ６０４に進み、印刷先のクライアントＰＣと同一エリアでネットワーク接続されている全てのプリンタを検出する。次にステップＳ６０５に進み、検出された全プリンタの色ずれ基準値を、クライアントＰＣ側で保存されているかどうか確認する。
【００２１】
色ずれ基準値が保存されていないプリンタが存在する場合、ステップＳ６０６に進み、そのプリントの色ずれ基準値を取得し保存する。この処理を全てのプリンタの色ずれ基準値が保存されるまで繰り返し、全て保存されるとするとステップＳ６０７に進む。
【００２２】
ステップＳ６０５において全てのプリンタの色ずれ基準値がクライアントＰＣ側で保存されている場合、ステップＳ６０７に進み、その保存されている色ずれ基準値が、算出されてから一定時間過ぎているかどうか判定する。保存から一定時間過ぎている色ずれ基準値がひとつも存在しない場合、ステップＳ６０９に進む。既に一定時間過ぎている色ずれ基準値がひとつでも存在する場合、ステップＳ６０８に進み、そのプリンタの色ずれ基準値を算出、取得し情報を更新し、ステップＳ６０９に進む。
【００２３】
ステップＳ６０９において、全てのプリンタの色ずれ基準値から、その値が最小なプリンタを選択する。次にステップＳ６１０に進み、その選択されたプリンタから印刷し、処理が終了となる。
【図面の簡単な説明】
【００２４】
【図１】実施例の情報処理装置の構成図である。
【図２】ＦＤまたはＣＤ−ＲＯＭの記録内容を示す図である。
【図３】ＦＤまたはＣＤ−ＲＯＭと情報処理装置の関係図である。
【図４】情報処理装置のハードディスクにＦＡＸドライバがインストールされた際の情報処理装置のメモリマップを示す図である。
【図５】実施例１の処理の流れを示したフローチャート図である。
【図６】実施例２の処理の流れを示したフローチャート図である。
【符号の説明】
【００２５】
１  ＣＰＵ
２  ＲＡＭ
３  ＲＯＭ
４  ＫＢＣ
５  ＫＢ
６  ＰＲＴＣ
７  ＰＲＴ
８  ＣＲＴＣ
９  ＣＲＴ
１０  ＤＫＣ
１１  外部記憶装置
１２  システムバス
【図１】
2006155498.tif 000003
【図２】
2006155498.tif 000004
【図３】
2006155498.tif 000005
【図４】
2006155498.tif 000006
【図５】
2006155498.tif 000007
【図６】
2006155498.tif 000008